(57)【特許請求の範囲】
【請求項１】
加熱手段により加熱される再生器において低濃度吸収液を高濃度吸収液と冷媒とに分離し、蒸発器において、内部を空調用熱媒体としての冷温水が流れる蒸発コイルに冷媒液を散布して蒸発させるとともに前記冷温水を冷却し、吸収器において、冷却塔に連結されるとともに、内部を排熱用の冷却水が流れる冷却コイルに前記高濃度吸収液を散布して前記蒸発した冷媒を吸収させ、冷媒を吸収して低濃度化した低濃度吸収液を低濃度吸収液流路に設けた吸収液ポンプにより前記再生器に戻す吸収液冷凍装置において、
前記加熱手段によって加熱される前記再生器の被加熱部を、前記加熱手段の発熱部を囲う包囲壁状容器と該包囲壁状容器の内壁の上端を閉塞させる閉塞壁とから前記発熱部を上方から覆う略逆碗形状に成形するとともに、前記被加熱部の前記包囲壁状容器内に仕切板を配し外側室と内側室とに分離した二重構造とし、前記包囲壁状容器の前記外側室と前記内側室とを前記仕切板によって上部で遮断し下部のみで連通して、前記吸収液ポンプから前記再生器へ低濃度吸収液を戻すための前記低濃度吸収液流路の配管を、前記仕切板の前記外側室の上部で前記包囲壁状容器内と連通させたことを特徴とする吸収式冷凍装置。
【請求項２】
前記包囲壁状容器の前記仕切板の上部に、
前記包囲壁状容器の前記外側室と前記内側室とを連通させる連通口
を設けたことを特徴とする請求項１記載の吸収式冷凍装置。
【請求項３】
前記包囲壁状容器の前記仕切板の上部に、
前記連通口を前記包囲壁状容器の前記外側室内で浮き弁体によって開閉する弁機構
を設けたことを特徴とする請求項２記載の吸収式冷凍装置。
【請求項４】
前記加熱手段を燃焼炎を有するバーナによって構成するとともに、該バーナの燃焼炎を前記包囲壁状容器により包囲することを特徴とする請求項１、２、または３に記載の吸収式冷凍装置。
【発明の詳細な説明】
【０００１】
【発明の属する技術分野】
本発明は、臭化リチウムなどの水溶液を吸収液として吸収サイクルを形成した吸収式冷凍装置に関し、特に、加熱手段によって加熱される再生器の被加熱部が、加熱手段の発熱部を上方より覆う略逆碗形状の容器を有するものに係る。
【０００２】
【従来の技術】
従来、例えば、図３に示す吸収式空調装置１００を用いた吸収式空調装置では、高温再生器１を加熱し吸収液ポンプＰ１を作動させた吸収サイクルにおいて、蒸発器４の冷温水配管（蒸発コイル４１）内で冷却された水を冷却源とし、室内機２００の室内熱交換器（空調用熱交換器４４）へ供給して、室内熱交換器（空調用熱交換器４４）に備えられた対流ファン（ブロワ４５）を作動させて室内を冷房する。また、蒸発器４を暖房用吸収液流路Ｌ４によって高温再生器１と連通させた状態で吸収液ポンプ１を作動させて、高温再生器１で加熱された高温の吸収液を蒸発器４へ供給することによって、蒸発器４の冷温水配管（蒸発コイル４１）内で水を加熱して加熱源とし、同様に室内熱交換器（空調用熱交換器４４）へ供給して暖房運転を行う。
【０００３】
このように構成された吸収式空調装置１００では、省エネを図るために、高温再生器１を加熱するガスバーナＢ等の加熱手段の発熱量を抑制するとともに、加熱手段が発生した熱を効率良く再生器に吸収させるために、図３に示すように、高温再生器１の被加熱部である加熱タンク１１を、ガスバーナＢの燃焼炎を覆うように形成した略逆碗形状に形成し、吸収器３から低濃度吸収液を供給するための低濃度吸収液流路Ｌ３の配管の先端を、加熱タンク１１の下端近傍で開口させて、吸収液ポンプＰ１を介して吸収器３と高温再生器１の加熱タンク１１とを連通させている。この結果、高温再生器１内へ供給された低濃度吸収液は、加熱タンク１１の下端近傍で加熱タンク１１内へ流入し、加熱タンク１１の下方から上方へ向かう流れを形成して高温再生器１内へ離散しながら、加熱される。
【０００４】
【発明が解決しようとする課題】
上記の構成を有する従来の吸収式冷凍装置１００では、加熱タンク１１の中心でガスバーナＢの燃焼炎が生じるため、加熱タンク１１の内側の高温の燃焼排ガスは、略逆碗形状の加熱タンク１１の内壁の内側を下降しながら加熱タンク１１の中心側から外側へ移動し、その後は、加熱タンク１１の外側を上昇する。このように移動しながら加熱タンク１１を加熱する高温の燃焼排ガスは、略逆碗形状の加熱タンク１１内で下方から上方へ向かって上昇する流れを形成する低濃度吸収液に対して、加熱タンク１１の内側では低濃度吸収液の流れと燃焼排ガスの流れとが対向流になるため、効率良く熱を低濃度吸収液に伝達できるが、加熱タンク１１の外側では低濃度吸収液の流れと燃焼排ガスの流れとが並流になるため、効率良く熱を低濃度吸収液に伝達することができなかった。
【０００５】
また、吸収器から再生器へ低濃度吸収液を供給するための吸収液ポンプが設けられた低濃度吸収液流路には、再生器内と吸収液内との圧力差によって再生器内の吸収液が吸収器内へ逆流しないようにするために、逆止弁Ｇが設けられている。しかし、逆止弁Ｇを設けても、漏れが生じた場合には、吸収液ポンプＰ１が停止した吸収式冷凍装置の冷房運転終了後に、再生器内の吸収液が圧力差によって吸収器へと逆流する。その場合、低濃度吸収液流路が加熱タンク内の下部で開口しているため、再生器内の吸収液はほとんど吸収器へ逆流し、再生器内が空になる。このような状態で運転を開始すると、再生器内が空炊き状態となり、水素ガスの発生や吸収液の晶析などを生じ、運転に支障が生じるという問題がある。
【０００６】
本発明は、再生器に略逆碗形状の加熱タンクを有する吸収式冷凍装置において、加熱効率を向上させるとともに、低濃度吸収液流路における逆流を防止して吸収式冷凍装置の運転に支障をなくすことを目的とする。
【０００７】
【課題を解決するための手段】
この発明は、請求項１では、加熱手段により加熱される再生器において低濃度吸収液を高濃度吸収液と冷媒とに分離し、蒸発器において、内部を空調用熱媒体としての冷温水が流れる蒸発コイルに冷媒液を散布して蒸発させるとともに前記冷温水を冷却し、吸収器において、冷却塔に連結されるとともに、内部を排熱用の冷却水が流れる冷却コイルに前記高濃度吸収液を散布して前記蒸発した冷媒を吸収させ、冷媒を吸収して低濃度化した低濃度吸収液を低濃度吸収液流路に設けた吸収液ポンプにより前記再生器に戻す吸収液冷凍装置において、前記加熱手段によって加熱される前記再生器の被加熱部を、前記加熱手段の発熱部を囲う包囲壁状容器と該包囲壁状容器の内壁の上端を閉塞させる閉塞壁とから前記発熱部を上方から覆う略逆碗形状に成形するとともに、前記被加熱部の前記包囲壁状容器内に仕切板を配し外側室と内側室とに分離した二重構造とし、前記包囲壁状容器の前記外側室と前記内側室とを前記仕切板によって上部で遮断し下部のみで連通して、前記吸収液ポンプから前記再生器へ低濃度吸収液を戻すための前記低濃度吸収液流路の配管を、前記仕切板の前記外側室の上部で前記包囲壁状容器内と連通させたことを特徴とする。
【０００８】
請求項２では、請求項１において、前記包囲壁状容器の前記仕切板の上部に、前記包囲壁状容器の前記外側室と前記内側室とを連通させる連通口を設けたことを特徴とする。
請求項３で、請求項１、２において、前記包囲壁状容器の前記仕切板の上部に、前記連通口を前記包囲壁状容器の前記外側室内で浮き弁体によって開閉する弁機構を設けたことを特徴とする。
請求項４で、請求項１から３において、前記加熱手段を燃焼炎を有するバーナによって構成するとともに、該バーナの燃焼炎を前記包囲壁状容器により包囲することを特徴とする。
【０００９】
【発明の作用・効果】
この吸収式冷凍装置では、請求項１では、吸収器内で冷媒を吸収して低濃度となった低濃度吸収液は、吸収液ポンプによって再生器内へ送り込まれる。このとき、再生器では、吸収器と連通した低濃度吸収液流路が、仕切板によって内外の二重室構造に分離された包囲壁状容器の外側室の上部で開口しているため、吸収器から供給される低濃度吸収液は、包囲壁状容器の外側室内の上方から下方へ下降し、包囲壁状容器の下部の連通部で内側室へ移動した後に、包囲壁状容器の内側室内を上昇して再生器上部へ流れる。
【００１０】
一方、加熱手段は、発熱部が再生器の包囲壁状容器によって包囲されているいため、発熱部で発生した加熱気体は、略碗形状の包囲壁状容器の内側では、中心側で上昇して閉塞壁に衝突すると周囲に広がって、包囲壁状容器の内側面に沿って下降した後、包囲壁状容器の下縁で包囲壁状容器の外側へ流れて、包囲壁状容器の外側では、包囲壁状容器の外側面に沿って上昇する。この加熱気体の動きは、仕切板によって二重室構造となった包囲壁状容器内の吸収液の流れ方向と丁度逆方向になるため、加熱気体の熱は、包囲壁状容器内の吸収液に効率良く伝達し、吸収液の温度が上昇する。
このように、この発明では、再生器内の被加熱部における吸収液の動きと加熱手段からの加熱気体の流れとが逆行する対向流であるため、加熱手段の熱を効率良く、吸収液に伝達することができる。
【００１１】
請求項２では、仕切板の上部に、包囲壁状容器の外側室と内側室とを連通させる連通口を設けたため、運転中に再生器の包囲壁状容器内で加熱された吸収液から冷媒蒸気が発生しても、冷媒蒸気を連通口から包囲壁状容器の内側室内へ移動させることができるため、外側室内の吸収液の液面は再び上昇する。
従って、外側室内の冷媒蒸気の溜まり過ぎによって、加熱手段からの加熱気体と外側室内の吸収液との熱交換面積が減少して、加熱効率が下がることがない。
また、吸収液ポンプが停止した吸収式冷凍装置の運転終了後は、再生器内の圧力と吸収器内の圧力との圧力差によって、再生器内の吸収液が吸収器内へ逆流するが、連通口を介して内側室内の気体が流入して縁切りされ逆流が止まるため、連通口より下方部分の包囲壁状容器内の吸収液は、開口から低濃度吸収液流路内へ吸い込まれることがなく、逆流しない。
従って、連通口の位置より下方には、必ず吸収液が存在する。この結果、その後、運転が開始された場合に、再生器が加熱手段によって空炊き状態になることはなくなり、過熱による水素ガスの発生や晶析を生ずることがない。
この結果、従来のような逆止弁を設ける必要がなく、また、逆止弁を設ける場合に、漏れが生じても問題はない。
【００１２】
請求項３では、仕切板の上部に、包囲壁状容器の外側室と内側室とを連通させる連通口を、包囲壁状容器の外側室内で浮き弁体によって開閉する弁機構とを設けたため、運転中に再生器の包囲壁状容器内で加熱された吸収液から冷媒蒸気が発生しても、外側室内の上部に溜まって外側室内の吸収液の液面が下がり、浮き弁体が液面の低下に対応して下がることにより、弁機構が開弁して冷媒蒸気を包囲壁状容器の内側室内へ移動させることができるため、外側室内に冷媒蒸気が溜まり過ぎによって加熱手段からの加熱気体と外側室内の吸収液との熱交換面積が減少して加熱効率が下がることがない。
【００１３】
また、吸収液ポンプが停止した吸収式冷凍装置の運転終了後は、再生器内の圧力と吸収器内の圧力との圧力差によって、再生器内の吸収液が吸収器内へ逆流するが、逆流による液面の低下により浮き弁体が下がって弁機構が開弁し、連通口を介して内側室内の気体が流入して縁切りされ逆流が止まるため、弁機構より下方部分の包囲壁状容器内の吸収液は、開口から低濃度吸収液流路内へ吸い込まれることがなく、逆流しない。
従って、弁機構の位置より下方には、必ず吸収液が存在する。この結果、その後、運転が開始された場合に、再生器が加熱手段によって空炊き状態になることはなくなり、過熱による水素ガスの発生や晶析を生ずることがない。
この結果、従来のような逆止弁を設ける必要がなく、また、逆止弁を設ける場合に、漏れが生じても問題はない。
尚、冷媒蒸気が外側室内に存在しないときには、弁機構は閉弁するため、吸収器から外側室内へ供給された低濃度吸収液が加熱されずに短絡して内側室内へ移動してしまうことは生じず、加熱効率が低下することはない。
【００１４】
請求項４のように特に加熱手段として燃焼炎を発生するバーナを用いた場合には、燃焼排ガスが包囲壁状容器の内側から外側へ移動することになるが、上記請求項１の構成を用いることによって、燃焼排ガスと包囲壁状容器内の吸収液との熱交換の効率が向上し、上記作用効果が大きい。
【００１５】
【発明の実施の形態】
図１は空調機を示し、冷凍機本体１０１および冷却塔（クーリングタワー）ＣＴからなる吸収式冷凍装置１００を室外機として備えるとともに、室内機２００が付設されている。この空調機は、制御装置３００により制御される。
【００１６】
冷凍機本体１０１は、高温再生器１および低温再生器２を備え、高温再生器１の下方には、加熱源としてのガスバーナＢが配置されている。低温再生器２の外周には吸収器３および蒸発器４が設けられ、蒸発器４の上方には凝縮器５が設置されている。
【００１７】
高温再生器１は、ガスバーナＢによって加熱され、内部の低濃度吸収液を沸騰させる加熱タンク１１と、該加熱タンク１１の頂部から上方に延長され、冷媒蒸気と、該冷媒蒸気の蒸発により濃化した中濃度吸収液とを分離する中濃度吸収液分離筒１２とを有する。中濃度吸収液分離筒１２の外周には、冷媒蒸気を回収する縦型円筒形の気密性冷媒回収タンク１０が設けられている。
【００１８】
加熱タンク１１は、ガスバーナＢの燃焼炎を取り囲むように内壁１１０ａと外壁１１０ｂと底壁１１０ｃとから中空に形成された包囲壁状容器１１０と、その内壁１１０ａの上端から中心に向かって延設されて包囲壁状容器１１０の内周縁を閉塞させた閉塞壁１１１とからなる略逆碗形状を呈し、ガスバーナＢの燃焼空間の上方を閉塞している。
加熱タンク１１内には、図２に示すように、包囲壁状容器１１０の内部を外側室１１２と内側室１１３とに分離して二重室構造にする仕切板１１４が配されている。仕切板１１４は、基本的には外側室１１２と内側室１１３とを上部側では閉塞し、下部のみで連通させている。
【００１９】
仕切板１１４で仕切られた包囲壁状容器１１０の外側の外側室１１２の上端部には、後述する吸収器３と連結された低濃度吸収液流路Ｌ3 の流出部１１５が開口している。従って、吸収液ポンプＰ1 が装着された低濃度吸収液流路Ｌ３を介して吸収器３から供給される低濃度吸収液は、加熱タンク内１１内へ流入すると、外側室１１２の上部から下降して下部へ移動し、加熱タンク１１の最下端で仕切板１１４の下方を潜って内側室１１３内へ流入することになる。
この間、低濃度吸収液は、外側室１１２及び内側室１１３に面しながら、ガスバーナＢの燃焼排ガスと熱交換して加熱される。
【００２０】
外側室１１２の低濃度吸収液流路Ｌ３の開口位置より上方には、浮き弁体１１６ａを備えた逆止弁機能付きの弁機構１１６を配置した上方延長流路１１７が備えられ、上方延長流路１１７の上方端は、仕切板１１４に形成された微少開口である連通口１１８を介して、内側室１１３側と連通している。
【００２１】
これらの弁機構１１６、上方延長流路１１７および連通口１１８は、運転中において、加熱タンク１１内で加熱された吸収液内で蒸発して生じた気体冷媒（水蒸気）のみを内側室１１３内へ移動させて、外側室１１２内に蓄積しないようにするためのもので、外側室１１２内に気体冷媒が溜まってきて、外側室１１２内の吸収液の液位が下がって来ると、浮き弁体１１６ａを液位に応じて下がって弁機構１１６が開弁して気体冷媒を上方へ通過させ、連通口１１８を介して内側室１１３側へ移動させることができる。気体冷媒が外側室１１２から内側室１１３側へ移動すると、外側室１１２内の吸収液の液位が上がって浮き弁体１１６ａも上がり、弁機構１１６が閉弁する。従って、低濃度吸収液流路Ｌ３から加熱タンク１１内へ流入したばかりの吸収液が、加熱されないまま内側室１１３側へ移動してしまうことがない。
【００２２】
尚、包囲壁状容器１１０の内壁１１０ａ及び外壁１１０ｂの表面には、ガスバーナＢの発生する熱を効率良く吸収するための吸熱フィン１１９が備えられている。
【００２３】
低温再生器２は、冷媒回収タンク１０の外周に偏心して設置した縦型円筒形の低温再生器ケース２０を有する。低温再生器ケース２０は、天井に冷媒蒸気出口２１が設けられるとともに、頂部が中濃度吸収液分離筒１２の底部１２１と中濃度吸収液流路Ｌ1 により連結されている。
【００２４】
低温再生器ケース２０内には、圧力差により熱交換器Ｈを介して中濃度吸収液が供給され、冷媒回収タンク１０の外壁を熱源として再沸騰し、冷媒蒸気と高濃度吸収液とに分離される。低温再生器ケース２０の外周には、縦型円筒形で気密性の蒸発・吸収ケース３０が同心的に配され、蒸発・吸収ケース３０は上方に延設されて凝縮器ケース５０となっている。
【００２５】
冷媒回収タンク１０、低温再生器ケース２０、蒸発・吸収ケース３０は、底板１３に一体に溶接されて冷凍機本体１０１を形成している。低温再生器ケース２０の上部は、気液分離部２２となっており、冷媒蒸気出口２１および隙間５Ａを介して凝縮器ケース５０内と連通している。
【００２６】
吸収器３は、蒸発・吸収ケース３０内の内側部分内に縦型円筒状に巻設した冷却コイル３１を配置し、その上方に該冷却コイル３１に高濃度吸収液を散布するための高濃度吸収液散布具３２を装着してなる。吸収器３は、冷房運転時に使用され、冷却コイル３１内には、冷却塔ＣＴで冷却された排熱用冷却水が循環している。
【００２７】
低温再生器２の高濃度吸収液受け部２３は、熱交換器Ｈを介して高濃度吸収液流路Ｌ2 により、高濃度吸収液散布具３２へ連結している。高濃度吸収液散布具３２は、高濃度吸収液が流入し、流入した高濃度吸収液は、冷却コイル３１の上端に散布され、冷却コイル３１の表面に付着して膜状になり、重力の作用で下方に流下して行く。吸収器３の底部３３と加熱タンク１１の外側室１１２との間は、熱交換器Ｈおよび吸収液ポンプＰ1 が装着された低濃度吸収液流路Ｌ3 で連結されている。
【００２８】
蒸発器４は、蒸発・吸収ケース３０内の冷却コイル３１の外周に、縦型円筒形で連通口付き仕切壁４０を設け、該仕切壁４０の外周に、内部を冷暖房用の冷温水が流れる縦型円筒形の蒸発コイル４１を配設し、その上方に冷媒液散布具４２を取り付けてなる。蒸発器４の底部４３は、暖房用電磁弁Ｖ1 を有する暖房用吸収液流路Ｌ4 により中濃度吸収液分離筒１２の底部１２１と連通している。
【００２９】
冷媒液散布具４２は、冷房運転時に使用され、冷媒液を蒸発コイル４１の上に滴下させる。滴下された冷媒は、表面張力で蒸発コイル４１の表面を濡らして膜状となり重力の作用で下方に降下しながら、低圧となっている蒸発・吸収ケース３０内で蒸発コイル４１から気化熱を奪って蒸発し、蒸発コイル４１内を流れる冷暖房用の冷温水を冷却する。
【００３０】
凝縮器５は、冷房運転時に使用され、凝縮器ケース５０の内部に、内部を冷却塔ＣＴで冷却された排熱用冷却水が循環している冷却コイル５１を配設してなる。凝縮器ケース５０は、冷媒流路Ｌ5 により冷媒回収タンク１０の底部１４と連通するとともに、冷媒蒸気出口２１および隙間５Ａを介して低温再生器２と連通しており、いずれも圧力差により冷媒が供給される。
【００３１】
凝縮器ケース５０に供給された冷媒は、冷却コイル５１により冷却されて液化する。凝縮器５の下部と蒸発器４の蒸発コイル４１の上方に設置された冷媒液散布具４２とは、冷媒液供給路Ｌ6 で連通している。液化した冷媒液は、冷媒液供給路Ｌ6 に設けられた冷媒冷却器５２を経て冷媒液散布具４２に供給される。
【００３２】
この実施例では、冷却コイル３１は冷却コイル５１に接続し、さらに冷却塔ＣＴと冷却水流路３４で接続してある。冷却水流路３４には、冷却水ポンプＰ2 が装着され、冷却コイル３１および冷却コイル５１で吸熱して高温となった冷却水が、冷却塔ＣＴに供給されて大気中に放熱して低温度になる排熱サイクルを形成している。
【００３３】
冷房運転時には、冷却水ポンプＰ2 により冷却水が、冷却塔ＣＴ→冷却コイル３１→冷却コイル５１→冷却塔ＣＴの順に循環している。なお、吸収液は、高温再生器１→低温再生器２→吸収器３→吸収液ポンプＰ1 →高温再生器１の順に循環する。
【００３４】
室内機２００は、空調熱交換器４４、およびブロワ４５を有する。蒸発コイル４１の両端は、ゴムホース等で形成された冷温水流路４６で空調熱交換器４４に連結されている。冷温水流路４６には、冷温水ポンプＰ3 が設けられており、空調熱交換器４４に冷温水を循環させる。
【００３５】
暖房運転時は、暖房用電磁弁Ｖ1 を開弁し、吸収液ポンプＰ1 を作動させる。高温度の中濃度吸収液は蒸発器４に底４３から流入する。蒸発コイル４１内の冷温水は、加熱されて冷温水ポンプＰ3 により冷温水流路４６で室内機２００内の空調熱交換器４４に供給され、暖房の熱源となる。蒸発器４内の中濃度吸収液は、仕切壁４０の連通口から吸収器３側に入り、低濃度吸収液流路Ｌ３を経て、吸収液ポンプＰ1 により加熱タンク１１へ戻される。
【００３６】
使用者が空調を停止するため、室内機２００のオン・オフスイッチにより作動停止操作をすると、吸収式冷凍装置１００は、室内機２００の作動停止後も一定時間の間、吸収液の晶析防止のための希釈運転が必要であり、そのためガスバーナＢの燃焼を停止したのち吸収液ポンプＰ1 および冷却水ポンプＰ2 は前記希釈運転の終了後に停止する。
【００３７】
以上の構成からなる吸収式冷凍装置１００において、ガスバーナＢが燃焼すると、その燃焼排ガスは、高温再生器１の略逆碗形状の加熱タンク１１の内側の中央部を上昇して加熱タンク１１の閉塞壁１１１に衝突し、周囲に広がって内側室１１３の表面に沿って下降して、加熱タンク１１の下端の周囲から加熱タンク１１の外側へ移動し、外側室１１２の表面に沿って上昇する。
一方、吸収器３から低濃度吸収液流路Ｌ３によって供給される低濃度吸収液は、加熱タンク１１の外側上部の流出部１１５から加熱タンク１１の外側室１１２内に流入し、外側室１１２内を下降し、仕切板１１４の下方を潜って内側室１１３内へ移動し、内側室１１３内を上昇して、高温再生器１の中濃度吸収液分離筒１２内へ移動する。この吸収液の移動の間に、加熱タンク１１の外側室１１２および内側室１１３の外側をそれぞれ燃焼排ガスが対向して移動するため、燃焼排ガスの熱が効率良く吸収液に吸熱される。
従って、ガスバーナＢの燃焼量を抑える（有効利用できる）ことができ、省エネが可能である。
【００３８】
また、加熱タンク１１内で加熱された吸収液から蒸発した冷媒蒸気のうち、仕切板１１４の外側の外側室１１２側で生じたものは、外側室１１２の上部に蓄積されるが、その量が増えて、外側室器１２内の吸収液の液面が浮き弁体１１６ａより下がると、上方延長流路１１７の弁機構１１６が開弁し、冷媒蒸気は、連通口１１８を通って仕切板１１４の内側へ移動する。
この結果、内側室１１３側で生じた冷媒蒸気とともに、中濃度吸収液分離筒１２内で上昇して、冷媒回収タンク１０内で回収される。
【００３９】
また、吸収液ポンプＰ１が停止した吸収式冷凍装置１００の運転終了後は、高温再生器１内の圧力と吸収器３内の圧力との圧力差によって、高温再生器１内の吸収液が吸収器３内へ逆流するが、逆流による液面の低下により浮き弁体１１６ａが下がって弁機構１１６が開弁し、連通口１１８を介して内側室１１３内の気体が流入して縁切りされ逆流が止まるため、弁機構１１６より下方部分の包囲壁状容器１１０内の吸収液は、流出部１１５から低濃度吸収液流路Ｌ３へ吸い込まれることがなく、逆流しない。
従って、弁機構１１６の位置より下方には、必ず吸収液が存在する。この結果、その後、運転が開始された場合に、高温再生器１がガスバーナＢによって空炊き状態になることはなくなり、過熱による水素ガスの発生や晶析を生ずることがない。
この結果、従来のような逆止弁を設ける必要がなく、また、逆止弁を設ける場合に、漏れが生じても問題はない。
尚、冷媒蒸気が外側室１１２内に存在しないときには、弁機構１１６は閉弁するため、吸収器３から外側室１１２内へ供給された低濃度吸収液が加熱されずに短絡して内側室１１３内へ移動してしまうことは生じず、加熱効率が低下することはない。
【００４０】
なお、上記実施例では、浮き弁体による弁機構を設けたものを示したが、弁機構を設けないで、連通口のみにしてもよい。その場合には、連通口として直径１ｍｍ程度の小穴を設けるとよい。
また、加熱源としては、ガスバーナＢの代わりに電熱ヒータなど他の熱源が使用できる。
【図面の簡単な説明】
【図１】吸収式冷凍装置を用いた冷暖房装置の概念図である。
【図２】吸収式冷凍装置にガスバーナおよび加熱タンクを示す部分断面図である。
【図３】従来の吸収式冷凍装置を用いた冷暖房装置の概念図である。
【符号の説明】
１００  吸収式冷凍装置
１  高温再生器
１１  加熱タンク（被加熱部）
１１０  包囲壁状容器
１１１  閉塞壁
１１２  外側室
１１３  内側室
１１４  仕切板
１１６  弁機構
１１６ａ  浮き弁体
１１８  連通口
３  吸収器
３１  冷却コイル
４  蒸発器
４１  蒸発コイル
Ｂ  ガスバーナ（加熱手段）
ＣＴ  冷却塔
Ｐ１  吸収液ポンプ
Ｌ３  低濃度吸収液流路
【図１】
0003790360.tif 000002
【図２】
0003790360.tif 000003
【図３】
0003790360.tif 000004